(57)【特許請求の範囲】
【請求項１】
ケース本体の庫内背面パネルに立設した棚支柱に架設する商品陳列棚が、              前後方向に延在する左右一対の棚ブラケットと、                                    左右の棚ブラケット間に掛け渡した横フレームを介してその上に担持した棚板との組立体になり、                                                                        かつ前記棚ブラケットはその後端の上下部位に突出して形成した爪付き係合フックを前記棚支柱の端面に沿って定ピッチ間隔に穿設したスリット状の係合穴に差し込んで所望の棚取付け位置に掛止したものにおいて、                                              前記棚ブラケットの後端上部に、前記係合フックの根本部から起立して該棚ブラケットの棚板載置面より上方に突出するとともに                                            その先端を棚支柱に開口した１ピッチ上の係合穴に前方から嵌挿する逆Ｌ字形の位置決め用のフックを形成したことを特徴とするショーケースの商品陳列棚支持構造。
【発明の詳細な説明】
【技術分野】
【０００１】
本発明は、スーパーマーケット，コンビニエンスストアなどの店舗に据付けて使用する多段型ショーケース（冷蔵オープンショーケース）に適用する商品陳列棚の支持構造に関する。
【背景技術】
【０００２】
周知のように、多段型ショーケースの庫内には上下段に並ぶ商品陳列棚を装備して販売商品を陳列するようにしており、その商品陳列棚は庫内の背面パネルに立設した棚支柱に棚ブラケットを介して架設するようにしている（例えば、特許文献１参照）。
【０００３】
次に、前記商品陳列棚の従来構造を図９〜図１２に示す。図において、１は商品陳列棚、２はショーケースの本体ケースの庫内背面パネルに立設して商品陳列棚１を架設する棚支柱である。
【０００４】
上記の商品陳列棚１は、前後方向に延在する左右一対の棚ブラケット３Ｌ，３Ｒと、棚ブラケット３Ｌと３Ｒとの間に跨がってその前後端部の上に掛け渡した横フレーム４と、前後の横フレーム４の間に嵌め込んで棚ブラケット３に担持した棚板（例えば、ガラス製棚板）５との組立体からなる。ここで、棚ブラケット３Ｌ，３Ｒは、その上端縁に沿って内側に逆Ｌ字形の棚受フランジ３ａを形成した鋼板（厚さ２．５〜２．７mm程度）の板金加工品で、その後端には爪付きの係合フック３ｂ，３ｃ，３ｄが上下に並んで突出し形成されている。また、横フレーム４は長手方向に沿った外側の側縁，および左右両端に棚板５を嵌め込み支持するフエンス４ａ，４ｂが起立形成されており、その左右両端部を棚ブラケット３Ｌ，３Ｒの棚受フランジ３ａに重ねてリベット（ＰＯＰリベット）６でカシメ止め結合されている（図１２参照）。
【０００５】
一方、商品陳列棚１の横幅サイズ（約１ｍ前後）に合わせて庫内背面パネルに立設した棚支柱２は断面ハット形のチャンネル鋼板で、その凸部の前端面には前記棚ブラケット３Ｌ，３Ｒの係合フック３ｂ，３ｃ，３ｄを差込むスリット状の係合穴（角穴）２ａが定ピッチ間隔に配列して上下多段に穿設されている。なお、この係合角穴２ａの開口幅は、棚ブラケットの板厚に対し多少の遊びを持たせて５mm程度に定めている。
【０００６】
そして、棚支柱２に対して前記の商品陳列端１を所望の高さ位置に架設，変更するには、横フレーム４に棚板５を搭載した組立状態のまま、あるいは棚板５を外した状態で商品陳列棚１を両手で抱え、ショーケースの前方から棚ブラケット３Ｌ，３Ｒの後端に形成した上部の係合フック３ｂを指定した高さ位置に開口する棚支柱１の係合穴２ａへ図１２の矢印のように差し込んで掛止し、続いて下部の係合フック３ｃ，３ｄを下段側に開口する係合穴２ａに差し込んで商品陳列棚１を所望の姿勢角度（水平，あるいは前傾姿勢）にセットする。
【先行技術文献】
【特許文献】
【０００７】
【特許文献１】特開平１１−２９９５９６号公報（図３、図４）
【発明の概要】
【発明が解決しようとする課題】
【０００８】
ところで、前記した従来の構造では商品陳列棚１を所望の高さ位置に合わせて棚支柱２に架設する作業では、次記のように作業性に難点がある。すなわち、棚ブラケット３Ｌ，３Ｒの後端上部に形成した係合フック３ｂは、図１１で示すように棚板５の載置面高さＨよりも低い位置に引っ込んでいる。
【０００９】
したがって、商品陳列棚１を抱えた作業者が図１２のようにショーケースの前方からアクセスして棚ブラケット３Ｌ，３Ｒの後端部を見ると、その後端上部に形成した係合フック３ｂ、およびその背後に開口する棚支柱２の係合穴２ａの位置が棚板ないし後部側の横フレーム４に視界が遮られて棚の取付け箇所を的確に視認できない。このために、作業者は商品陳列棚１を抱えたまま庫内の奥を覗き込むように上半身をかがめるなど無理な姿勢での作業が強いられることになる。しかも、棚支柱２に穿設した係合穴２ａは開口幅が狭いスリット状角穴であることから、棚ブラケットの係合フック３ｂを所望の高さ位置に開口する係合穴２ａに差し込む作業に手間取る。このように従来構造では棚の取付け作業性に課題があってショーケース設置先のユーザーからもその改善策が要望されている。
【００１０】
本発明は上記の点に鑑みなされたものであり、その目的は前記課題を解決して商品陳列棚をショーケースの庫内に立設した棚支柱に架設，付替えする際に、棚の掛止箇所が前方から容易，かつ的確に視認できて作業性の改善が図れるように改良した商品陳列棚の支持構造を提供することにある。
【課題を解決するための手段】
【００１１】
上記目的を達成するために、本発明によれば、ケース本体の庫内背面パネルに立設した棚支柱に架設する商品陳列棚が、前後方向に延在する左右一対の棚ブラケットと、左右の棚ブラケット間に掛け渡した横フレームを介してその上に担持した棚板との組立体になり、かつ前記棚ブラケットはその後端の上下部位に突出して形成した爪付き係合フックを前記棚支柱の端面に沿って定ピッチ間隔に穿設したスリット状の係合穴に差し込んで所望の棚取付け位置に掛止したものにおいて、前記棚ブラケットの後端上部に、前記係合フックの根本部から起立して該棚ブラケットの棚板載置面より上方に突出するとともにその先端を棚支柱に開口した１ピッチ上の係合穴に前方から嵌挿する逆Ｌ字形の位置決め用のフックを形成する（請求項１）
【発明の効果】
【００１３】
上記した本発明の構成によれば、ショーケースの前方から商品陳列棚を手に抱えて所望の高さ位置に架設する場合に、作業者は棚板、あるいは左右の棚ブラケット間に掛け渡した後部側の横フレームに視界が遮られることなく、棚ブラケットの後端上部に起立形成した係合フック、位置決め用フックの位置、およびその背後に開口する棚支柱の係合穴の位置を容易に視認することができ、これにより商品陳列棚の取付け作業を楽に進めることができる。
【図面の簡単な説明】
【００１５】
【図１】本発明の実施例１に係わる商品陳列棚の棚ブラケットを庫内の棚支柱に架設した状態を表す要部構造の斜視図である。
【図２】図１における棚ブラケットの側面図である。
【図３】図２に対応する棚ブラケットの斜視図であって、（ａ），（ｂ）は左側，右側の棚ブラケットを表す図である。
【図４】図２の棚ブラケットに横フレーム，棚板を組み合わせた商品陳列棚の組立状態の側面図である。
【図５】本発明の実施例２に係わる商品陳列棚の棚ブラケットを庫内の棚支柱に架設した状態を表す要部構造の斜視図である。
【図６】図５における棚ブラケットの側面図である。
【図７】図５に対応する棚ブラケットの斜視図であって、（ａ），（ｂ）は左側，右側の棚ブラケットを表す図である。
【図８】棚支柱に穿設した本発明による係合穴の形状を従来の係合穴と対比して表した図であって、（ａ）〜（ｃ）は本発明の穴形状図、（ｄ）は従来の穴形状図である。
【図９】ショーケースの庫内に装備する商品陳列棚の従来構造の分解斜視図である。
【図１０】図９における棚ブラケットの外形斜視図であって、（ａ），（ｂ）は左側，右側の棚ブラケットを表す図である。
【図１１】図９の棚ブラケットに横フレーム，棚板を組み合わせた商品陳列棚の組立状態の側面図である。
【図１２】図９の商品陳列棚を庫内の棚支柱に架設した状態を表す要部構造の斜視図である。
【発明を実施するための形態】
【００１６】
以下、本発明の実施の形態を図１〜図８に示す実施例に基づいて説明する。なお、実施例の図中で図９〜図１２に対応する部材には同じ符号を付してその説明は省略する。
【実施例１】
【００１７】
まず、本発明の請求項１，３に対応する実施例１の構成を図１〜図４に示す。この実施例による商品陳列棚１，および棚支柱２への支持構造は基本的に図９〜図１２で述べた従来構造と同様であるが、棚ブラケット３Ｌ，３Ｒの後端上部に形成した係合フック３ｂ、および棚支柱２に穿設した係合穴２ａが次記のように形成されている。
【００１８】
すなわち、図２で示すように前記係合フック３ｂは、棚ブラケット３Ｌ，３Ｒの長手方向に沿ってその上部側縁に形成した棚受フランジ３ａの上面高さレベルＨ（棚板５の載置面に相応）よりも上方に突き出すように起立形成されている。また、棚ブラケット３の係合フック３ｂ，３ｃ，３ｄに対向して棚支柱２に穿設した係合穴２ａは、図１で示すように上半部の開口幅を下半部の開口幅よりも広くした異形の台形穴とする。
【００１９】
そして、上記の棚ブラケット３Ｌ，３Ｒの間に掛け渡した横フレーム４をリベット６で結合し、その上に棚板５を載置して商品陳列棚１を構成する（図４参照）。
上記の商品陳列棚１を庫内の棚支柱２に架設するには、従来と同様な手法で作業者が商品陳列棚１を抱えてショーケースの前方からアクセスし、所望の棚取付け高さ位置に合わせて棚ブラケット３Ｌ，３Ｒの後端に形成した係合フック３ｂ，３ｃ，３ｄを棚支柱２に穿設した係合穴２ａに差し込んで掛止する。この場合に、図１で表すように図示実施例の棚構造では、棚ブラケット３Ｌ，３Ｒの後端上部に形成した係合フック３ｂが横フレーム４の背後から上方に突き出すように起立しているので、作業者は横フレーム４，ないし横フレーム４に載置した棚板５（図４参照）に視界が遮られることなく、係合フック３ｂ，およびその背後に開口している棚支柱２の係合穴２ａの位置を容易，かつ的確に視認できる。さらに、棚支柱２に穿設した異形の係合穴２ａは図示のように上半部の開口幅が広がっているので、作業者は係合フック３ｂを係合穴２ａへスムーズに差し込んで棚を所望の高さ位置に掛止することができ、これにより手間を掛けずに棚の架設作業を短時間で楽に行うことができる。
【００２０】
なお、図示実施例では、棚ブラケット３Ｌ，３Ｒと横フレーム４をリベット６で結合しているが、これは一例であり、この他にスポット溶接でもよい。
【実施例２】
【００２１】
次に、本発明の請求項２に係わる実施例２の構造を図５〜図７で説明する。すなわち、先記実施例１では棚ブラケット３Ｌ，３Ｒの後端上部に形成した係合フック３ｂを上方に起立させて前方からの視認性を高めるようにしているが、この実施例では係合フック３ｂが図１０，図１１に示した従来構造と同じ位置に形成されているのに対して、棚ブラケット３Ｌ，３Ｒの後端部には係合フック３ｂの根本部から上方に起立し、背後に向けて突き出す逆Ｌ字形の位置決め用フック３ｅが追加形成されている。なお、この位置決め用フック３ｅは前記の係合フック３ｂとは異なり、その先端がフラットな形状に形成されている。また、位置決め用フック３ｅの起立高さは、前記係合フック３ｂの位置を基準に、棚支柱２に穿設した係合穴２ａのピッチ間隔に対応して設定されている。なお、この実施例２においても、棚支柱２に穿設した係合穴２ａは、図５で示すように上辺の開口幅が下辺の開口幅より広い異形な台形形状としている。
これにより、棚支柱２に商品陳列棚１を架設する際には、図５で示すように横フレーム４，棚板５に視界が遮られることなしに、作業者はショーケースの前方から棚ブラケット３Ｌ，３Ｒの後端部から上方に起立した位置決め用フック３ｅを容易，かつ的確に視認することができる。
【００２２】
したがって、商品陳列棚１の架設作業手順として、庫内の棚支柱２に対して最初に前記位置決め用フック３ｅの先端を所望の棚取付け高さから一段上に開口する係合穴２ａに差し込むことにより商品陳列棚１を指定した取付け高さ位置に位置合わせすることができ、この状態で続いて係合フック３ｂ，３ｃ，３ｄをこれに対向する係合穴２ａに差し込むことで商品陳列棚１を棚支柱２に容易に架設することができる。
【００２３】
一方、棚支柱２に穿設した係合穴２ａについて、先記の実施例１，２では図１，図５に示したように上部側の開口幅を下部側の開口幅より広げた異形の穴形状に設定している。これにより、棚ブラケット３Ｌ，３Ｒの係合フック３ｂ，３ｃ，３ｄ、および位置決め用フック３ｅ（実施例２）をスムーズに係合穴２ａへ差し込むことができ、また、商品収納棚１の架設位置では係合フック３ｂ，３ｃ，３ｄの先端爪部が係合穴２ａの狭い下部に落ち込むので、左右のガタツキなしに商品陳列棚１を安定よく掛止保持できる。
【００２４】
なお、図８（ａ）〜（ｃ）は前記した異形係合穴２ａについての変形実施例を、また（ｄ）図は従来の角穴を表しており、図中のｄ１は係合穴２ａの下部開口幅、ｄ２は上部開口幅である。ここで、実際の製品では下部の開口幅ｄ１を（ｄ）図に表した従来の角穴の開口幅と同じ寸法（例えば５mm）に定め、上部の開口幅ｄ２は左右に広げた寸法（例えば７mm程度）に設定している。
【符号の説明】
【００２５】
１    商品陳列棚
２    棚支柱
２ａ  係合穴
３Ｌ，３Ｒ  棚ブラケット
３ａ  棚受フランジ
３ｂ，３ｃ，３ｄ  係合フック
３ｅ  位置決め用フック
４    横フレーム
５    棚板
６    リベット
【図１】
0005803084.tif 000002
【図２】
0005803084.tif 000003
【図３】
0005803084.tif 000004
【図４】
0005803084.tif 000005
【図５】
0005803084.tif 000006
【図６】
0005803084.tif 000007
【図７】
0005803084.tif 000008
【図８】
0005803084.tif 000009
【図９】
0005803084.tif 000010
【図１０】
0005803084.tif 000011
【図１１】
0005803084.tif 000012
【図１２】
0005803084.tif 000013